(57)【要約】【課題】血圧測定を行う際、測定部位の加圧による測定時の圧迫感が苦痛感として問題となる。カフの空気袋の幅の最適化で改善できるが、カフ巻きつけ部太さは人により異なり、太さに対して空気袋の幅の比を小さくしすぎると測定精度に影響を及ぼす。【解決手段】血圧計用カフの空気袋の幅をカフの巻き方向に変化させた形状にすることでカフの巻きつけ部位周長によって空気袋の平均幅が最適な幅に可変することにより、苦痛感を低減し、測定精度も確保する。【選択図】図１
2009072278.tif 000002
【特許請求の範囲】
【請求項１】
測定部位に巻きつけて空気圧の変動から血圧値に関する情報を得る血圧測定に使用する血圧計用カフであって、巻きつけ方向に幅を変えた空気袋を有し、測定者の測定部位の大きさにより、巻きつけ範囲における前記空気袋の平均幅が変る血圧計用カフ。
【請求項２】
前記空気袋が直線的なテーパー形状を有することを特徴とする請求項１に記載の血圧計用カフ。
【発明の詳細な説明】
【技術分野】
【０００１】
本発明は血圧計用カフに関し、血圧計用カフを装着し、加圧する時の圧迫による苦痛感を軽減させつつ測定の高精度を保つことが可能な技術に関するものである。
【背景技術】
【０００２】
電子血圧計による血圧測定は多くの場合オシロメトリック法が用いられる。血圧測定では測定部位である上腕や手首にカフを巻き、そこに空気を送り込んで血管を圧迫し、一旦血液の流れを止める。その後徐々に、圧迫をゆるめていくと、血液の圧力が血管を圧迫しているカフの圧力を上回る。すると血液が心臓の脈動に合わせて断続的に流れ出す。
オシロメトリック法では、カフを加圧した後、減圧していく段階で、心臓の拍動に同調した血管壁の振動を反映したカフ圧の変動を観測することによって血圧値を決定する。一般的には圧脈波が急激に大きくなったときのカフ圧を最高血圧とし、急激に小さくなったときのカフ圧を最低血圧とする。
図6はオシロメトリック法を用いた血圧計の機器の一般的な構成をしめす概念図である。図6においてポンプ６０１によってカフ６０２に空気を送り、測定部位を圧迫する。測定部位の血流の拍動を圧力センサ６０３で観測しながら十分に血流が低下した状態を探り、加圧を止め、減圧弁６０４で徐々に空気を抜いてカフ６０２の圧力を下げていく。この時前述の圧力センサ６０３に捕らえられる拍動を観測することによって最高血圧・最低血圧の測定をすることができる。
【０００３】
上述のような血圧計のカフを用いた血圧測定を行う際、測定者の腕または手首の加圧による測定時の圧迫感が苦痛感として問題となる。これは上腕式血圧計の場合、カフの空気袋の最適な幅寸法がカフ巻きつけ部周長の40％以上であり、不適切な幅寸法は測定精度に影響を及ぼすというＪＩＳ  Ｔ1115の記述と、現状カフの大きさが段階的に決められていることにより、空気袋の幅が測定部位が太い人に合わせて作られているため、相対的に測定部位が細い人ほど不要な圧迫部分が大きくなり苦痛感がおおきくなる。
【０００４】
そこで、この問題を解決するために有効と思われる文献・実例としては、例えば特許文献１によれば、空気袋を複数使用する方法が記されている。また、実例としてオムロン製血圧計ＨＥＭ-7000に付属のカフの空気袋の幅は10.5ｃｍであり、巻きつけ部周長32ｃｍまで対応としているが、32ｃｍの40％は12.8ｃｍであり、40％より小さめの幅を採用している。約26ｃｍまでの人に関しては40％以上の幅を確保していることになる。
【０００５】
【特許文献１】特開平10−314126号公報（２頁）
【発明の開示】
【発明が解決しようとする課題】
【０００６】
しかし、前述の従来技術では以下に示す問題を有している。空気袋を複数使用する方法では単純に部品点数の増大をまねき、選択的に空気袋を使い分ける制御が必要になるため装置も複雑になり、コスト高に繋がる。空気袋の幅を適用範囲の最大サイズの40％より小さく設定している例では腕の細い人にとって苦痛感の低減の効果はあまり期待できない。なぜなら、幅としては最大適用サイズの推奨幅の約82％程度に小さく設定しているだけなので、適用サイズの最小寄りの人に対しては苦痛感の低減度合いは少ない。
【０００７】
そこで、本発明では上述した従来技術による問題点を解消するため、特別な装置の付加や構成の大きな変更をせずに、カフ装着部位を加圧する時の圧迫による苦痛感を軽減させつつ測定の高精度を保つことが可能な技術を提供する事を目的とする。
【課題を解決するための手段】
【０００８】
これらの課題を解決するために本発明による血圧計用カフには、下記に記載の手段を採用する。すなわち本発明の血圧計用カフは、測定部位に巻きつけて空気圧の変動から血圧値に関する情報を得る血圧測定に使用するカフであって、内蔵する空気袋に、巻きつけ方向に例えば直線的なテーパー形状に幅を変えることにより、巻きつける対象である測定部位、たとえば腕または手首の太さにより、空気袋の巻きつけ範囲の平均幅が変る仕組みを持つことを特徴とする。ここでいう平均幅とは空気袋の巻きつけ範囲の形状の面積をそのままに同じ巻きつけ長さの長方形とした時の幅とする。
【０００９】
また、本発明の血圧計用カフは、内蔵する空気袋の幅を巻きつけ方向に変化させた形状を有するものであれば直線的なテーパー形状に限定するものではない。
（作用）
血圧計用カフにおいて、現状では測定部位の太さにより、カフ及び内蔵される空気袋のサイズが段階的に設定されているため、そのサイズ内で測定部位が細い人の場合、不要な圧迫部分が大きくなり苦痛感がおおきくなる。しかし、苦痛感を低減するために空気袋の幅を一定に狭くしすぎると適応サイズ内で測定部位が太い人の場合、十分な測定精度が得られない可能性が高い。そこで、カフに内蔵する空気袋の形状を巻きつけ方向に変化させた形状にすることにより、測定部位が細い場合は空気袋の巻きつけ範囲の平均幅が狭く、太い場合には空気袋の巻きつけ範囲の平均幅が広くなることで、圧迫時に最低限の苦痛感にとどめつつ、十分な測定精度を実現する。この方式においては特別な装置の付加や構成の大きな変更を行う必要がない。
【発明の効果】
【００１０】
以上の説明のように、本発明の血圧計用カフにおいては、下記に記載する効果を有する。
【００１１】
血圧測定に用いられるカフにおいて、現状では測定部位の太さにより、カフ及び内蔵される空気袋のサイズが段階的に設定されているため、そのサイズ内で測定部位が細い人の場合、不要な圧迫部分が大きくなり苦痛感がおおきくなる。しかし、苦痛感を低減するために空気袋の幅を一定に狭くしすぎると適応サイズ内で測定部位が太い人の場合、十分な測定精度が得られない可能性が高い。本発明の血圧計用カフではカフに内蔵する空気袋を従来の一定幅ではなく、巻き方向によって変化する形状に形成することにより、巻き径が小さいときには空気袋の平均幅が狭く、巻き径が大きい時には空気袋の平均幅が広くなることにより、圧迫時に最低限の苦痛感にとどめつつ、十分な測定精度を実現する。この方式においては従来と変る部分が空気袋だけで済むため、特別な装置の付加や構成の大きな変更を行う必要がなく、カフを交換するだけで苦痛感を改善することも可能となる。
【発明を実施するための最良の形態】
【００１２】
以下、図面を用いて本発明を利用した血圧計用カフの最適な実施形態を説明する。
【００１３】
図１は本発明の実施形態の一例として上腕装着タイプの血圧計用のカフの構成を示した図である。図１において、カフ本体１０２は本来腕に装着しやすいようにリング１０３に端を通して輪の形状になっているが、説明しやすいように展開した状態で描いてある。また、空気を出し入れするホースがコネクタ１０４に本来は繋がれているが、本図では省略してある。
【００１４】
ここで、このカフ本体１０２の略中央に破線で描かれているものが空気袋１０１である。本図においては空気袋１０１はカフの巻きつけ方向、本実施形態ではカフ本体１０２の長手方向に向かって幅Ｗが直線的に変化するテーパー形状となっている。また、リング側
に近い所で幅Ｗが狭く、離れるに従って幅Ｗが広い向きに配置されている。
【００１５】
図2はカフを細い上腕部に装着した場合の図であり、図3はカフを太い上腕部に装着した場合の図である。それぞれ、カフ本体が２０１と３０１、カフを腕に巻きつけるときに折り返す為のリングが２０２と３０２、カフ内の空気袋に空気を送り込み測定機本体と繋ぐホースが２０３と３０３である。図4はそれぞれを展開した時の空気袋４０１の巻きつけ範囲を示す図である。ここではカフを巻く時にリング２０２、３０２によって折り返されて輪になった部分の直径をそれぞれＡ、Ｂとすれば空気袋の巻きつけ長さはそれぞれおおよそπＡ、πＢとなる。すなわち、巻きつけ範囲はリングからそれぞれπＡ、πＢの長さまでの範囲となる。巻きつけ範囲における空気袋の幅の平均をそれぞれ平均幅Ｃ、Ｄと呼ぶことにする。平均幅Ｃ，Ｄは図4のように空気袋が直線テーパー形状であるとき、おおよそ巻きつけ範囲の半分の位置πＡ/2、πＢ/2の空気袋の幅である。図4では前述のリングは４０３、カフ本体は４０２としている。
【００１６】
図4を見ればわかるように、平均幅はＣ＜Ｄとなっており、カフを巻いた部位が細い時は空気袋の平均幅が狭く、カフを巻いた部位が太くなるほど空気袋の平均幅が広くなる。
【００１７】
装着時の苦痛感の観点からは、圧迫部分の面積が小さいほど苦痛感が緩和されるが、本実施例では腕の細い人は巻きつけ範囲の空気袋の平均幅Ｃが太い人の平均幅Ｄに較べて狭くなる。従来のもので考えれば、幅Ｗ＝Ｄ相当であったものが、Ｄより小さいＣになることにより、圧迫部分の面積が小さくなり苦痛感が緩和される。これは、腕の細い人ほど顕著になる。
【００１８】
また、測定精度の点でも、空気袋の最適な幅寸法は巻きつけ部周長の40％以上とされているが、本実施例より、幅を平均幅のＣ，Ｄ、巻きつけ部周長πＡ，πＢとなる。
Ｃ＝0.4×πＡと設定してやれば、相似形状であることよりＤ＝0.4×πＢの関係が保たれるので、測定者が変わって腕の太さが変化しても測定に最適な空気袋の幅が保たれることになる。
【００１９】
この実施例では説明を簡単にするために空気袋の形状を単純な直線状のテーパー形状としているが、実際には空気袋の隅にＲが付いたり、リングで折り返す部分は空気袋が無い部分である。これらの要素を考慮すると、直線状のテーパーでは精度的に問題が出る可能性もあり、カフの構造によっては曲線状にテーパーを最適化する必要がある。したがって、空気袋の形状はリング側の空気袋の幅が狭く離れるにしたがって幅が広くなっていれば直線形状に限定するものではない。
【００２０】
図5は図1と比較する為の従来のカフの構成を示した図である。カフ本体５０２の略中央に破線で描かれているものが従来品の空気袋５０１であり、巻き方向に向かって幅は一定である。他、図1と同様に５０３がリング、５０４がコネクタである。図1と比較すればわかるように、追加部品無しに本発明の血圧計用カフを提供することが可能である。
【図面の簡単な説明】
【００２１】
【図１】本発明の実施形態の血圧計用カフの構成を示す展開図である。
【図２】本発明の血圧計用カフの実施形態における細い上腕に装着した図である。
【図３】本発明の血圧計用カフの実施形態における太い上腕に装着した図である。
【図４】図２、図３のカフを展開して、空気袋の巻きつけ範囲を示した図である。
【図５】従来の血圧計用カフの構成を示す展開図である。
【図６】血圧計の構成を示す概念図である。
【符号の説明】
【００２２】
１０１  空気袋
１０２  カフ本体
１０３  リング
１０４  コネクタ
２０１  カフ本体
２０２  リング
２０３  ホース
４０１  空気袋
４０２  カフ本体
４０３  リング
６０１  ポンプ
６０２  カフ
６０３  圧力センサ
６０４  減圧弁
【図１】
2009072278.tif 000003
【図２】
2009072278.tif 000004
【図３】
2009072278.tif 000005
【図４】
2009072278.tif 000006
【図５】
2009072278.tif 000007
【図６】
2009072278.tif 000008